(57)【特許請求の範囲】
【請求項１】
容器本体と複数の小蓋部とからなる蓋と該蓋を形成する小蓋部間に形成される隙間を覆う隙間閉鎖部材とを有する蓋付き容器において、前記小蓋部に形成された軸受部及び前記隙間閉鎖部材に形成された軸受部が、前記容器本体のフランジの一辺に形成された軸受部に挿着された軸に挿着されており、また、前記隙間閉鎖部材は、前記隙間を覆う水平部と前記隙間の少なくとも一部に挿入可能な垂直部とを有しており、更に、前記隙間閉鎖部材の垂直部の両側面には係合突起が突設されており、該係合突起は、前記容器本体の開口部を、前記小蓋部及び前記隙間閉鎖部材で覆った際に、前記小蓋部の裏側の角部に引っ掛かるように構成されており、更にまた、前記小蓋部の角部と前記係合突起との係合力は、前記小蓋部の重量より小さく構成されているとともに、前記隙間閉鎖部材と前記小蓋部を、前記容器本体の開口部を覆うように、前記容器本体の開口部方向に回動させた際には、前記係合突起が、前記小蓋部の角部に引っ掛かっており、従って、前記隙間閉鎖部材が、前記容器本体の開口部方向に回動する小蓋部に追従して回動するように構成されていることを特徴とする蓋付き容器。
【発明の詳細な説明】
【０００１】
【発明の属する技術分野】
本発明は、ゴミ、工業廃棄物、家庭用品、各種部品や製品等（以下、単に、「収納物」と称する。）を収納するための蓋付き容器に関するものであり、特に、屋外に置かれるゴミの収集用容器に適した蓋付き容器に関するものである。
【０００２】
【従来の技術】
従来、箱型の容器本体に、複数に分割された蓋を、回動自在に取り付けた蓋付き容器が知られている。容器本体が大型化すると、当然のことながら、蓋が大きく、重くなり、蓋の開閉作業に、大変な労力を要することになる。このような問題を解決するために、蓋を、複数の小さい蓋に分割し、必要とする部分のみを開閉できるようにした蓋付き容器が知られている。
【０００３】
【発明が解決しようとする課題】
従来の複数に分割された蓋を有する蓋付き容器においては、分割された蓋同士の間に隙間ができ、この隙間から水が浸入し、容器本体に収納されている収納物が濡れるという問題がある。特に、収納物がゴミの場合には、収集されたゴミの回収料金は重量で決まるために、水が浸入した場合には、無駄な回収料金を支払わなければならないという問題がある。
【０００４】
本発明の目的は、上述した従来の蓋付き容器が有する課題を解決するとともに、蓋の開閉作業が容易な蓋付き容器を提供することにある。
【０００５】
【課題を解決するための手段】
本発明は、上述した目的を達成するために、容器本体と複数の小蓋部とからなる蓋と該蓋を形成する小蓋部間に形成される隙間を覆う隙間閉鎖部材とを有する蓋付き容器において、前記小蓋部に形成された軸受部及び前記隙間閉鎖部材に形成された軸受部が、前記容器本体のフランジの一辺に形成された軸受部に挿着された軸に挿着されており、また、前記隙間閉鎖部材は、前記隙間を覆う水平部と前記隙間の少なくとも一部に挿入可能な垂直部とを有しており、更に、前記隙間閉鎖部材の垂直部の両側面には係合突起が突設されており、該係合突起は、前記容器本体の開口部を、前記小蓋部及び前記隙間閉鎖部材で覆った際に、前記小蓋部の裏側の角部に引っ掛かるように構成されており、更にまた、前記小蓋部の角部と前記係合突起との係合力は、前記小蓋部の重量より小さく構成されているとともに、前記隙間閉鎖部材と前記小蓋部を、前記容器本体の開口部を覆うように、前記容器本体の開口部方向に回動させた際には、前記係合突起が、前記小蓋部の角部に引っ掛かっており、従って、前記隙間閉鎖部材が、前記容器本体の開口部方向に回動する小蓋部に追従して回動するように構成したものである。
【０００６】
以下に、本発明の蓋付き容器の全体斜視図である図１、本発明の蓋付き容器の一部分解斜視図である図２及び本発明の蓋付き容器の一部拡大斜視図である図３を用いて、本発明の実施例について説明するが、本発明の趣旨を越えない限り何ら、本実施例に限定されるものではない。
【０００７】
【実施例】
１は、平面形状が略方形状の箱型の容器本体であり、容器本体１の上端部には、略水平なフランジ２が形成されている。３は、フランジ２の一辺に、所定の間隔を置いて、適当数、形成された軸受部であり、本実施例においては、２個の軸受部３が形成されている。軸受部３の軸受け孔には、軸４が挿着されている。
【０００８】
５は、容器本体１の開口部１ａを覆う蓋であり、蓋５は、本実施例においては、平面形状が方形状の２個の小蓋部５ａに分割されている。小蓋部５ａの一辺に沿った縁部上面には、所定の間隔を置いて、上述したフランジ２の一辺に形成された軸受部３と同様の、軸受部６が、それぞれ、形成されており、軸受部６の軸受け孔を、上述した軸４に挿通することにより、小蓋部５ａを、軸４を中心に回動して、容器本体１の開口部１ａを、小蓋部５ａにより、全部或いは半分、開閉できるように構成されている。即ち、蓋５を構成する２つの小蓋部５ａを、共に、開閉することにより、容器本体１の開口部１ａの全体を、開閉でき、また、何方か一方の小蓋部５ａを開閉することにより、容器本体１の開口部１ａの半分を開閉できるように構成されている。
【０００９】
上述したように、蓋５を複数の小蓋部５ａに分割したことにより、蓋５が一体に形成された重い蓋５を開閉する場合に比べて、蓋５の開閉作業に要する労力が少なくて済むとともに、蓋５を射出成形する際の成形金型が小さくて済むので、蓋５の製造コストを低減することができる。
【００１０】
７は、複数の小蓋部５ａに分割された蓋５の、小蓋部５ａ間に形成される隙間８を覆う水平部７ａと、水平部７ａの下面に垂下されるとともに、隙間８の少なくとも一部に挿入可能な垂直部７ｂとを有する隙間閉鎖部材である。また、隙間閉鎖部材７の水平部７ａの一端部上面には、水平な軸受け孔７ｃ’が穿設された軸受部７ｃが形成されており、隣接する小蓋部５ａの軸受部６間に形成された間隙に存在する軸４に、隙間閉鎖部材７の軸受部７ｃの軸受け孔７ｃ’を挿通することにより、隙間閉鎖部材７を、軸４を中心に回動できるように構成されている。
【００１１】
上述したように、蓋５を構成する小蓋部５ａは、軸４を中心に回動して、容器本体１の開口部１ａを覆うように構成されており、また、小蓋部５ａ間に形成される隙間８に挿入される垂直部７ｂと隙間８を覆う水平部７ａを有する隙間閉鎖部材７も軸４を中心に回動するように構成されているので、小蓋部５ａ及び隙間閉鎖部材７を、共に、軸４を中心に回動して、容器本体１の開口部１ａ及び小蓋部５ａ間に形成された隙間８を覆うことにより、完全に、容器本体１の開口部１ａを閉鎖することができる。従って、屋外の配設された蓋付き容器の容器本体１内に、水が浸入するようなことがない。
【００１２】
７ｄは、隙間閉鎖部材７の垂直部７ｂの両側面に突設された係合突起である。係合突起７ｄは、隙間閉鎖部材７を小蓋部５ａ間に形成される隙間８に挿入して、容器本体１の開口部１ａを、小蓋部５ａ及び隙間閉鎖部材７で覆った際に、小蓋部５ａの裏側の角部５ｂに引っ掛かり、角部５ｂと係合するように構成されている。
【００１３】
容器本体１の開口部１ａが、小蓋部５ａ及び隙間閉鎖部材７により被蓋された状態から、何方か一方の小蓋部５ａを回動した場合には、隙間閉鎖部材７は、隙間閉鎖部材７の水平部７ａが、回動する小蓋部５ａにより、持ち上げられるので、回動する小蓋部５ａに追従して回動することになる。この時、回動しないもう一方の小蓋部５ａの角部５ｂと、回動した小蓋部５ａに追従して回動する隙間閉鎖部材７の係合突起７ｄとの係合力は、小蓋部５ａの重量より小さいので、回動しない小蓋部５ａの角部５ｂと、回動した小蓋部５ａに追従して回動する隙間閉鎖部材７の係合突起７ｄとの係合が解除されて、回動しない小蓋部５ａは、容器本体１の開口部１ａを覆ったままの状態に維持される。
【００１４】
隙間閉鎖部材７とともに回動された小蓋部５ａを、容器本体１の開口部１ａを覆うように、容器本体１の開口部１ａ方向に回動させると、隙間閉鎖部材７の係合突起７ｄは、小蓋部５ａの角部５ｂに引っ掛かり、該角部５ｂに係合しているので、隙間閉鎖部材７は、回動する小蓋部５ａに追従して回動し、回動される小蓋部５ａとともに、容器本体１の開口部１ａを覆うことになる。
【００１５】
なお、隙間閉鎖部材７の係合突起７ｄを、小蓋部５ａの角部５ｂに係合させる代わりに、小蓋部５ａの側面５ｃに、係合突起７ｄが嵌合可能な凹溝を設け、該凹溝に、隙間閉鎖部材７の係合突起７ｄを嵌合させて、上述したように、小蓋部５ａの回動に隙間閉鎖部材７を追従させるように構成することもできる。
【００１６】
更には、小蓋部５ａの側面５ｃに、容器本体１の開口部１ａを小蓋部５ａ及び隙間閉鎖部材７で覆った際に、隙間閉鎖部材７の係合突起７ｄの上部に位置して、該係合突起７ｄと係合する凸条を形成することにより、上述したように、小蓋部５ａの回動に隙間閉鎖部材７を追従させるように構成することもできる。
【００１７】
更にまた、上述したように、小蓋部５ａの側面５ｃに凹溝や凸条を形成することなく、単に、隙間閉鎖部材７の係合突起７ｄを、小蓋部５ａの側面５ｃに圧接させることにより、回動する小蓋部５ａに追従するように構成することもできる。
【００１８】
上述したように、本発明の蓋付き容器を、蓋５を２個の小蓋部５ａに分割した実施例を用いて説明したが、蓋５を３個以上の小蓋部５ａに分割することもできる。この場合には、隣接する小蓋部に生ずる隙間を覆うために、上述した隙間閉鎖部材７を、複数個、配設することになる。
【００１９】
【発明の効果】
本発明は、以上説明したように構成されているので、以下に記載する効果を奏することができる。
【００２０】
複数に分割された蓋の間に形成される隙間を覆う隙間閉鎖部材を設けたので、容器内への水の浸入を防ぐことができる。
【００２１】
蓋及び隙間閉鎖部材を、共に、容器本体に枢支したので、蓋及び隙間閉鎖部材の開閉作業が容易になるとともに、蓋付き容器の構成部材を少なくすることができる。
【００２２】
複数に分割された蓋の１つの回動に追従して、隙間閉鎖部材を回動するようにしたので、蓋及び隙間閉鎖部材の開閉作業を、一度に行うことができるので、蓋の開閉作業性が向上する。
【図面の簡単な説明】
【図１】図１は本発明の蓋付き容器の全体斜視図である。
【図２】図２は本発明の蓋付き容器の一部分解斜視図である。
【図３】図３は本発明の蓋付き容器の一部拡大斜視図である。
【符号の説明】
１・・・・・・・・容器本体
５・・・・・・・・蓋
５ａ・・・・・・・小蓋部
５ｂ・・・・・・・小蓋部の角部
５ｃ・・・・・・・小蓋部の側面
７・・・・・・・・隙間閉鎖部材
７ａ・・・・・・・水平部
７ｂ・・・・・・・垂直部
７ｄ・・・・・・・係合突起
【図１】
0003544418.tif 000002
【図２】
0003544418.tif 000003
【図３】
0003544418.tif 000004